(57)【要約】【課題】湯循環加熱釜からの給湯配管及び戻湯配管が、ねじ込みタイプか、たけのこ挿入タイプのいずれの接続配管タイプでも、湯口継手を取り替えるだけで、迅速容易に、手締め螺合で締結でき、作業員１名で取付作業ができると共に、給湯配管及び戻湯配管の接続口を自由に選択して接続でき、作業の合理化と配管誤りの防止をはかった浴槽湯口装置を提供する。【解決手段】湯口本体２０の給湯管２０１及び戻湯管２０２に接続する１対の湯口継手５００が、Ｏリング５１１１付の内挿管５０と鍔付ナット６０とを備えているもの。【選択図】        図１−１
2009180385.tif 000002
【特許請求の範囲】
【請求項１】
給湯配管及び戻湯配管を先端に接続できるようにした給湯管２０１及び戻湯管２０２を設けた湯口本体２０と、ヘッド３０１１に螺孔３０１２を設けた締付ねじ３０１を介して湯口本体２０を浴槽壁８０に固定できるようにした押え金３０と、湯口本体２０の給湯管２０１及び戻湯管２０２に、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０の給湯管２０１及び戻湯管２０２を、給湯配管又は戻湯配管のいずれに連結しても給湯と戻湯ができるようにした浴槽湯口装置であって、浴槽孔８０にパッキン１２１０を介して密着できるようにしたフランジ部１２１と、フランジ部１２１に内設した給湯管２０１の先端に形成し、外周におねじ部２２１を螺刻した給湯口２２と、戻湯管２０２の先端に形成し、外周におねじ部２３１を螺刻した戻湯口２３とを備えた湯口本体２０と、後端部５１１の外周面にＯリング５１１１を嵌着し、中間部に後記鍔付ナット６０の鍔部６１１に係合するリング状突条５１２を形成し、先端部５１に多段のたけのこ状ホース接続部を形成した内挿管５０と、内周面に給湯口２２のおねじ部２２１又は戻湯口２３のおねじ部２３１に螺合するめねじ６１２を螺刻したナット部６１の先端に、断面リング状の鍔部６１１を形成した鍔付ナット６０とを備えた一対の湯口継手５００とからなり、前記一対の湯口継手５００の各後端部５１１を湯口本体２０の給湯口２２及び戻湯口２３にそれぞれ挿入して、給湯配管及び戻湯配管との接続を各鍔付ナット６０による手締め螺合で締結できるようにしたことを特徴とする浴槽湯口装置。
【請求項２】
一対の湯口継手５００Ｂが、後端部５１１の外周面にＯリング５１１１を嵌着し、中間部に後記鍔付ナット６０の鍔部６１１に係合するリング状突条５１２を形成し、先端部５１Ｂに管用ねじ接続部を形成した内挿管５０Ｂと、内周面に給湯口２２のおねじ部２２１又は戻湯口２３のおねじ部２３１に螺合するめねじ６１２を螺刻したナット部６１の先端に、断面リング状の鍔部６１１を形成した鍔付ナット６０とを備えてなり、前記一対の湯口継手５００Ｂの各後端部５１１を湯口本体２０の給湯口２２及び戻湯口２３にそれぞれ挿入して、給湯配管及び戻湯配管との接続を各鍔付ナット６０による手締め螺合で締結できるようにしたことを特徴とする請求項１記載の浴槽湯口装置。
【請求項３】
給湯配管及び戻湯配管を先端に接続できるようにした給湯管２０１Ｂ及び戻湯管２０２Ｂを設けた湯口本体２０Ｂと、ヘッド３０１１に螺孔３０１２を設けた締付ねじ３０１を介して湯口本体２０Ｂを浴槽壁８０に固定できるようにした押え金３０と、湯口本体２０Ｂの給湯管２０１Ｂ及び戻湯管２０２Ｂに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｂの給湯管２０１Ｂ及び戻湯管２０２Ｂを、給湯配管又は戻湯配管のいずれに連結しても給湯と戻湯ができるようにした浴槽湯口装置であって、浴槽孔８０にパッキン１２１０Ｂを介して密着できるようにしたフランジ部１２１Ｂと、フランジ部１２１Ｂに内設した給湯管２０１Ｂの先方の曲げ管２０１１Ｂ下端に形成し、外周におねじ部２２１Ｂを螺刻した給湯口２２Ｂと、戻湯管２０２Ｂの先方の曲げ管２０２１Ｂ下端に形成し、外周におねじ部２３１Ｂを螺刻した戻湯口２３Ｂとを備えた湯口本体２０Ｂと、後端部５１１の外周面にＯリング５１１１を嵌着し、中間部に後記鍔付ナット６０の鍔部６１１に係合するリング状突条５１２を形成し、先端部５１に多段のたけのこ状ホース接続部を形成した内挿管５０と、内周面に給湯口２２Ｂのおねじ部２２１Ｂ又は戻湯口２３Ｂのおねじ部２３１Ｂに螺合するめねじ６１２を螺刻したナット部６１の先端に、断面リング状の鍔部６１１を形成した鍔付ナット６０とを備えた一対の湯口継手５００とからなり、前記一対の湯口継手５００の各後端部５１１を湯口本体２０Ｂの給湯口２２Ｂ及び戻湯口２３Ｂにそれぞれ挿入して、給湯配管及び戻湯配管との接続を各鍔付ナット６０による手締め螺合で締結できるようにしたことを特徴とする浴槽湯口装置。
【請求項４】
一対の湯口継手５００Ｂが、後端部５１１の外周面にＯリング５１１１を嵌着し、中間部に後記鍔付ナット６０の鍔部６１１に係合するリング状突条５１２を形成し、先端部５１Ｂに管用ねじ接続部を形成した内挿管５０Ｂと、内周面に給湯口２２Ｂのおねじ部２２１Ｂ又は戻湯口２３Ｂのおねじ部２３１Ｂに螺合するめねじ６１２を螺刻したナット部６１の先端に、断面リング状の鍔部６１１を形成した鍔付ナット６０とを備えてなり、前記一対の湯口継手５００Ｂの各後端部５１１を湯口本体２０Ｂの給湯口２２Ｂ及び戻湯口２３Ｂにそれぞれ挿入して、給湯配管及び戻湯配管との接続を各鍔付ナット６０による手締め螺合で締結できるようにしたことを特徴とする請求項３記載の浴槽湯口装置。
【請求項５】
給湯配管及び戻湯配管を先端に接続できるようにした給湯管２０１Ｃ及び戻湯管２０２Ｃを設けた湯口本体２０Ｃと、ヘッド３０１１に螺孔３０１２を設けた締付ねじ３０１を介して湯口本体２０Ｃを浴槽壁８０に固定できるようにした押え金３０と、湯口本体２０Ｃの給湯管２０１Ｃ及び戻湯管２０２Ｃに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｃの給湯管２０１Ｃ及び戻湯管２０２Ｃを、給湯配管又は戻湯配管のいずれに連結しても給湯と戻湯ができるようにした浴槽湯口装置であって、浴槽孔８０にパッキン１２１０Ｃを介して密着できるようにしたフランジ部１２１Ｃと、フランジ部１２１Ｃに内設した給湯管２０１Ｃの先端に形成し、外周におねじ部２２１Ｃを螺刻した第１給湯口２２Ｃと、給湯管２０１Ｃの中間部の立管２０１１Ｃ下端に形成し、外周におねじ部２４１Ｃを螺刻した第２給湯口２４Ｃと、戻湯管２０２Ｃの先端に形成し、外周におねじ部２３１Ｃを螺刻した第１戻湯口２３Ｃと、戻湯管２０２Ｃの立管２０２１Ｃ下端に形成し、外周におねじ部２５１Ｃを螺刻した第２戻湯口２５Ｃとを備えた湯口本体２０Ｃと、後端部５１１の外周面にＯリング５１１１を嵌着し、中間部に後記鍔付ナット６０の鍔部６１１に係合するリング状突条５１２を形成し、先端部５１に多段のたけのこ状ホース接続部を形成した内挿管５０と、内周面に第１給湯口２２Ｃのおねじ部２２１Ｃ又は第２給湯口２４Ｃのおねじ部２４１Ｃ、又は、第１戻湯口２３Ｃのおねじ部２３１Ｃ又は第２戻湯口２５Ｃのおねじ部２５１Ｃに螺合するめねじ６１２を螺刻したナット部６１の先端に、断面リング状の鍔部６１１を形成した鍔付ナット６０とを備えた一対の湯口継手５００とからなり、前記一対の湯口継手５００の各後端部５１１を湯口本体２０Ｃの第１給湯口２２Ｃ又は第２給湯口２４Ｃ及び第１戻湯口２３Ｃ又は第２戻湯口２５Ｃにそれぞれ挿入して、給湯配管及び戻湯配管との接続を各鍔付ナット６０による手締め螺合で締結できるようにすると共に、給湯配管を第１給湯口２２Ｃ、又は、第２給湯口２４Ｃのいずれか一方に接続し、他方を盲栓７２と鍔付ナット６０を螺合して閉じ、戻湯配管を第１戻湯口２３Ｃ、又は、第２戻湯口２５Ｃのいずれか一方に接続し、他方を盲栓７２と鍔付ナット６０を螺合して閉じることができるようにしたことを特徴とする浴槽湯口装置。
【請求項６】
一対の湯口継手５００Ｂが、後端部５１１の外周面にＯリング５１１１を嵌着し、中間部に後記鍔付ナット６０の鍔部６１１に係合するリング状突条５１２を形成し、先端部５１Ｂに管用ねじ接続部を形成した内挿管５０Ｂと、内周面に第１給湯口２２Ｃのおねじ部２２１Ｃ又は第２給湯口２４Ｃのおねじ部２４１Ｃ、又は、第１戻湯口２３Ｃのおねじ部２３１Ｃ又は第２戻湯口２５Ｃのおねじ部２５１Ｃに螺合するめねじ６１２を螺刻したナット部６１の先端に、断面リング状の鍔部６１１を形成した鍔付ナット６０とを備えてなり、前記一対の湯口継手５００Ｂの各後端部５１１を湯口本体２０Ｃの第１給湯口２２Ｃ又は第２給湯口２４Ｃ及び第１戻湯口２３Ｃ又は第２戻湯口２５Ｃにそれぞれ挿入して、給湯配管及び戻湯配管との接続を各鍔付ナット６０による手締め螺合で締結できるようにすると共に、給湯配管を第１給湯口２２Ｃ、又は、第２給湯口２４Ｃのいずれか一方に接続し、他方を盲栓７２と鍔付ナット６０を螺合して閉じ、戻湯配管を第１戻湯口２３Ｃ、又は、第２戻湯口２５Ｃのいずれか一方に接続し、他方を盲栓７２と鍔付ナット６０を螺合して閉じることができるようにしたことを特徴とする請求項５記載の浴槽湯口装置。
【請求項７】
給湯配管及び戻湯配管を先端に接続できるようにした給湯管２０１Ｄ及び戻湯管２０２Ｄを設けた湯口本体２０Ｄと、ヘッド３０１１に螺孔３０１２を設けた締付ねじ３０１を介して湯口本体２０Ｄを浴槽壁８０に固定できるようにした押え金３０と、湯口本体２０Ｄの給湯管２０１ＣＤ及び戻湯管２０２Ｄに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｄの給湯管２０１Ｄ及び戻湯管２０２Ｄを、給湯配管又は戻湯配管のいずれに連結しても給湯と戻湯ができるようにした浴槽湯口装置であって、浴槽孔８０にパッキン１２１０Ｄを介して密着できるようにしたフランジ部１２１Ｄと、フランジ部１２１Ｄに内設した給湯管２０１Ｄの先端のつば２０１２Ｄを形成した給湯口２２Ｄと、戻湯管２０２Ｄの先端のつば２０２２Ｄを形成した戻湯口２３Ｄとを備えた湯口本体２０Ｄと、後端の外周面にＯリング５１１１Ｃを嵌着したシール管５１１Ｃを形成し、中間部に後記ファスナー７１Ｃに係合するつば５０２Ｃを形成し、先端部５１Ｃに多段のたけのこ状ホース接続部を形成した一対の継手管５０Ｃとからなり、前記一対の継手管５０Ｃのシール管５１１Ｃを湯口本体２０Ｄの給湯口２２Ｄ及び戻湯口２３Ｄにそれぞれ挿入し、継手管５０Ｃのつば５０２Ｃと給湯口２２Ｄのつば２０１２Ｄ及び継手管５０Ｃのつば５０２Ｃと戻湯口２３Ｄのつば２０２２Ｄにそれぞれファスナー７１Ｃを嵌着すれば、給湯配管及び戻湯配管との接続が手締めで締結できるようにしたことを特徴とする浴槽湯口装置。
【請求項８】
一対の継手管５０Ｄが、後端の外周面にＯリング５１１１Ｃを嵌着したシール管５１１Ｃを形成し、中間部に後記ファスナー７１Ｃに係合するつば５０２Ｃを形成し、先端部５１Ｄに管用ねじ接続部を形成してなり、前記一対の継手管５０Ｄのシール管５１１Ｃを湯口本体２０Ｄの給湯口２２Ｄ及び戻湯口２３Ｄにそれぞれ挿入し、継手管５０Ｄのつば５０２Ｃと給湯口２２Ｄのつば２０１２Ｄ及び継手管５０Ｄのつば５０２Ｃと戻湯口２３Ｄのつば２０２２Ｄにそれぞれファスナー７１Ｃを嵌着すれば、給湯配管及び戻湯配管との接続が手締めで締結できるようにしたことを特徴とする請求項７記載の浴槽湯口装置。
【請求項９】
給湯配管及び戻湯配管を先端に接続できるようにした給湯管２０１Ｅ及び戻湯管２０２Ｅを設けた湯口本体２０Ｅと、ヘッド３０１１に螺孔３０１２を設けた締付ねじ３０１を介して湯口本体２０Ｅを浴槽壁８０に固定できるようにした押え金３０と、湯口本体２０Ｅの給湯管２０１Ｅ及び戻湯管２０２Ｅに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｅの給湯管２０１Ｅ及び戻湯管２０２Ｅを、給湯配管又は戻湯配管のいずれに連結しても給湯と戻湯ができるようにした浴槽湯口装置であって、浴槽孔８０にパッキン１２１０Ｅを介して密着できるようにしたフランジ部１２１Ｅと、フランジ部１２１Ｅに内設した給湯管２０１Ｅの先方の曲げ管２０１１Ｅ下端のつば２０１２Ｅを形成した給湯口２２Ｅと、戻湯管２０２Ｅの先方の曲げ管２０２１Ｅ下端のつば２０２２Ｅを形成した戻湯口２３Ｅとを備えた湯口本体２０Ｅと、後端の外周面にＯリング５１１１Ｃを嵌着したシール管５１１Ｃを形成し、中間部に後記ファスナー７１Ｃに係合するつば５０２Ｃを形成し、先端部５１Ｃに多段のたけのこ状ホース接続部を形成した一対の継手管５０Ｃとからなり、前記一対の継手管５０Ｃのシール管５１１Ｃを湯口本体２０Ｅの給湯口２２Ｅ及び戻湯口２３Ｅにそれぞれ挿入し、継手管５０Ｃのつば５０２Ｃと給湯口２２Ｅのつば２０１２Ｅ及び継手管５０Ｃのつば５０２Ｃと戻湯口２３Ｅのつば２０２２Ｅにそれぞれファスナー７１Ｃを嵌着すれば、給湯配管及び戻湯配管との接続が手締めで締結できるようにしたことを特徴とする浴槽湯口装置。
【請求項１０】
一対の継手管５０Ｄが、後端の外周面にＯリング５１１１Ｃを嵌着したシール管５１１Ｃを形成し、中間部に後記ファスナー７１Ｃに係合するつば５０２Ｃを形成し、先端部５１Ｄに管用ねじ接続部を形成してなり、前記一対の継手管５０Ｄのシール管５１１Ｃを湯口本体２０Ｅの給湯口２２Ｅ及び戻湯口２３Ｅにそれぞれ挿入し、継手管５０Ｄのつば５０２Ｃと給湯口２２Ｅのつば２０１２Ｅ及び継手管５０Ｄのつば５０２Ｃと戻湯口２３Ｅのつば２０２２Ｅにそれぞれファスナー７１Ｃを嵌着すれば、給湯配管及び戻湯配管との接続が手締めで締結できるようにしたことを特徴とする請求項９記載の浴槽湯口装置。
【請求項１１】
給湯配管及び戻湯配管を先端に接続できるようにした給湯管２０１Ｆ及び戻湯管２０２Ｆを設けた湯口本体２０Ｆと、ヘッド３０１１に螺孔３０１２を設けた締付ねじ３０１を介して湯口本体２０Ｆを浴槽壁８０に固定できるようにした押え金３０と、湯口本体２０Ｆの給湯管２０１Ｆ及び戻湯管２０２Ｆに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｆの給湯管２０１Ｆ及び戻湯管２０２Ｆを、給湯配管又は戻湯配管のいずれに連結しても給湯と戻湯ができるようにした浴槽湯口装置であって、浴槽孔８０にパッキン１２１０Ｆを介して密着できるようにしたフランジ部１２１Ｆと、フランジ部１２１Ｆに内設した給湯管２０１Ｆの先端のつば２０１２Ｆを形成した第１給湯口２２Ｆと、給湯管２０１Ｆの中間部の立管２０１１Ｆの下端のつば２０１３Ｆを形成した第２給湯口２２１Ｆと、戻湯管２０２Ｆの先端のつば２０２２Ｆを形成した第１戻湯口２３Ｆと、戻湯管２０２Ｆの中間部の立管２０２１Ｆの下端のつば２０２３Ｆを形成した第２給湯口２３１Ｆとを備えた湯口本体２０Ｆと、後端の外周面にＯリング５１１１Ｃを嵌着したシール管５１１Ｃを形成し、中間部に後記ファスナー７１Ｃに係合するつば５０２Ｃを形成し、先端部５１Ｃに多段のたけのこ状ホース接続部を形成した一対の継手管５０Ｃとからなり、前記一対の継手管５０Ｃのシール管５１１Ｃを湯口本体２０Ｆの第１給湯口２２Ｆ又は第２給湯口２２１Ｆ及び第１戻湯口２３Ｆ又は第２戻湯口２３１Ｆにそれぞれ挿入し、継手管５０Ｃのつば５０２Ｃと第１給湯口２２Ｆのつば２０１２Ｆ又は第２給湯口２２１Ｆのつば２０１３Ｆ及び継手管５０Ｃのつば５０２Ｃと第１戻湯口２３Ｆのつば２０２２Ｆ又は第２戻湯口２３１Ｆのつば２０２３Ｆにそれぞれファスナー７１Ｃを嵌着すれば、給湯配管及び戻湯配管との接続が手締めで締結できるようにすると共に、給湯配管を第１給湯口２２Ｆ、又は、第２給湯口２２１Ｆのいずれか一方に接続し、他方を盲栓７２Ｃとファスナー７１Ｃで閉じ、戻湯配管を第１戻湯口２３Ｆ、又は、第２戻湯口２３１Ｆのいずれか一方に接続し、他方を盲栓７２Ｃとファスナー７１Ｃで閉じることができるようにしたことを特徴とする浴槽湯口装置。
【請求項１２】
一対の継手管５０Ｄが、後端の外周面にＯリング５１１１Ｃを嵌着したシール管５１１Ｃを形成し、中間部に後記ファスナー７１Ｃに係合するつば５０２Ｃを形成し、先端部５１Ｄに管用ねじ接続部を形成してなり、前記一対の継手管５０Ｄのシール管５１１Ｃを湯口本体２０Ｆの第１給湯口２２Ｆ又は第２給湯口２２１Ｆ及び第１戻湯口２３Ｆ又は第２戻湯口２３１Ｆにそれぞれ挿入し、継手管５０Ｄのつば５０２Ｃと第１給湯口２２Ｆのつば２０１２Ｆ又は第２給湯口２２１Ｆのつば２０１３Ｆ及び継手管５０Ｄのつば５０２Ｃと第１戻湯口２３Ｆのつば２０２２Ｆ又は第２戻湯口２３１Ｆのつば２０２３Ｆにそれぞれファスナー７１Ｃを嵌着すれば、給湯配管及び戻湯配管との接続が手締めで締結できるようにすると共に、給湯配管を第１給湯口２２Ｆ、又は、第２給湯口２２１Ｆのいずれか一方に接続し、他方を盲栓７２Ｃとファスナー７１Ｃで閉じ、戻湯配管を第１戻湯口２３Ｆ、又は、第２戻湯口２３１Ｆのいずれか一方に接続し、他方を盲栓７２Ｃとファスナー７１Ｃで閉じることができるようにしたことを特徴とする請求項１１記載の浴槽湯口装置。
【発明の詳細な説明】
【技術分野】
【０００１】
本発明は、湯循環釜からの給湯配管及び戻湯配管に接続する浴槽湯口装置に関する。
【背景技術】
【０００２】
従来、特開２００２−１８５４６号公報の図７及び図９に示すように、浴槽湯循環金具の給湯筒部２１Ａ又は２１Ｃ及び戻湯筒部２２Ａ又は２２Ｃが、おねじタイプか、たけのこタイプかにより、また、特開２００２−２０２５２７号公報の図７及び図８に示すように、浴槽湯循環金具の給湯筒部２１Ａ又は２１Ｂ及び戻湯筒部２２Ａ又は２２Ｂが、おねじタイプか、たけのこタイプかにより、それぞれに対応する浴槽湯循環金具を製作していたため、大量のストックを余儀なくし、そのため、製作費用がかさみ、保管場所が必要となる欠点があった。
また、おねじタイプの浴槽湯循環金具に、たけのこ挿入タイプの配管を接続するため、本出願図面の図８に示すように、円環状パッキン３を挿入したナット１付たけのこ状継手管２を用いて接続できるようにしたものがあったが、器具として給湯筒部と戻湯筒部を近接配置せざるを得ないので、ナット螺着のためのスパナ操作がしにくく、スパナの締め具合によって漏洩しやすく、また、熱湯が通るのでパッキンの寿命が短い等の欠点があった。
また、登録実用新案第３０１１２２５号公報の図２に示されている浴槽湯口装置は、外筒６１と内筒６２の二重管構造になっていたので、構造複雑で製作費が高くなり、循環口本体６０がフランジ付オネジ筒４０を介して螺合して浴槽壁に取り付けるようになっていたので、取付作業は、浴槽壁の内側と外側から、少なくとも２名で締付け作業を行わねばならない欠点があった。その上、オネジ筒４０のオネジ部長さにより浴槽壁の厚さが制限される欠点があった。
そこで、本発明者は、給湯筒部及び戻湯筒部を除く浴槽湯循環金具（以下、浴槽湯口本体という。）を共通に製作して、配管側がねじ込タイプか、たけのこタイプかによって、給湯筒部及び戻湯筒部の継手を取り替えるだけで、上記問題点を解決した。
その上、給湯筒部及び戻湯筒部に、予め給湯配管及び戻湯配管を接続したＯリング付の内挿管を挿入し、それぞれ鍔付ナットを手で締めるだけで、漏洩なく、確実に暗い場所でも継手の締結ができるようにして上記問題点を解決することに成功した。
また、本発明者は、浴槽湯口装置を構造簡単にして、１名の作業員で取付作業ができるようにし、また、浴槽の壁厚に余裕をもって対応できるようにして本発明を完成した。
【特許文献１】登録実用新案第３０１１２２５号公報
【特許文献２】特開２００２−１８５４６号公報
【特許文献３】特開２００２−２０２５２７号公報
【発明の開示】
【発明が解決しようとする課題】
【０００３】
本発明は、浴槽湯循環金具の種類を減らし、ストックを減らすことができるようにした浴槽湯口装置を提供する。
また、本発明は、共通する浴槽湯循環金具に接続する湯口継手を、おねじタイプか、たけのこタイプか選べばどちらの配管接続もできると共に、手締め螺合で容易に締結ができるようにした浴槽湯口装置を提供するものである。
また、本発明は、構造簡単で容易に分解組立ができ、作業員１名で浴槽に取り付けできる浴槽湯口装置を提供するものである。
また、本発明は、給湯配管及び戻湯配管とを自由に選択して接続できるようにして、作業の合理化と配管誤りの防止をはかった浴槽湯口装置を提供するものである。
また、本発明は、浴槽壁の厚みを考慮することなく、取付作業ができるようにした浴槽湯口装置を提供するものである。
さらに、本発明は、大部分を合成樹脂製にすることができ、安価に製作できる浴槽湯口装置を提供するものである。
【課題を解決するための手段】
【０００４】
本発明浴槽湯口装置は、上記課題を達成するため、図示するように、請求項１の発明は、給湯配管及び戻湯配管を先端に接続できるようにした給湯管２０１及び戻湯管２０２を設けた湯口本体２０と、ヘッド３０１１に螺孔３０１２を設けた締付ねじ３０１を介して湯口本体２０を浴槽壁８０に固定できるようにした押え金３０と、湯口本体２０の給湯管２０１及び戻湯管２０２に、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０の給湯管２０１及び戻湯管２０２を、給湯配管又は戻湯配管のいずれに連結しても給湯と戻湯ができるようにした浴槽湯口装置であって、浴槽孔８０にパッキン１２１０を介して密着できるようにしたフランジ部１２１と、フランジ部１２１に内設した給湯管２０１及び戻湯管２０２と、給湯管２０１の後端に形成し、外周におねじ部２２１を螺刻した給湯口２２と、戻湯管２０２の後端に形成し、外周におねじ部２３１を螺刻した戻湯口２３とを備えた湯口本体２０と、後端部５１１の外周面にＯリング５１１１を嵌着し、中間部に後記鍔付ナット６０の鍔部６１１に係合するリング状突条５１２を形成し、先端部５１に多段のたけのこ状ホース接続部を形成した内挿管５０と、内周面に給湯口２２のおねじ部２２１又は戻湯口２３のおねじ部２３１に螺合するめねじ６１２を螺刻したナット部６１の先端に、断面リング状の鍔部６１１を形成した鍔付ナット６０とを備えた一対の湯口継手５００とからなり、前記一対の湯口継手５００の各後端部５１１を湯口本体２０の給湯口２２及び戻湯口２３にそれぞれ挿入して、給湯配管及び戻湯配管との接続を各鍔付ナット６０による手締め螺合で締結できるようにしたものである。
また、本発明の浴槽湯口装置は、上記課題を達成するため、図示するように、請求項２の発明は、一対の湯口継手５００Ｂが、後端部５１１の外周面にＯリング５１１１を嵌着し、中間部に後記鍔付ナット６０の鍔部６１１に係合するリング状突条５１２を形成し、先端部５１Ｂに管用ねじ接続部を形成した内挿管５０Ｂと、内周面に給湯口２２のおねじ部２２１又は戻湯口２３のおねじ部２３１に螺合するめねじ６１２を螺刻したナット部６１の先端に、断面リング状の鍔部６１１を形成した鍔付ナット６０とを備えてなり、前記一対の湯口継手５００Ｂの各後端部５１１を湯口本体２０の給湯口２２及び戻湯口２３にそれぞれ挿入して、給湯配管及び戻湯配管との接続を各鍔付ナット６０による手締め螺合で締結できるようにしたものである。
また、本発明の浴槽湯口装置は、上記課題を達成するため、図示するように、請求項３の発明は、給湯配管及び戻湯配管を先端に接続できるようにした給湯管２０１Ｂ及び戻湯管２０２Ｂを設けた湯口本体２０Ｂと、ヘッド３０１１に螺孔３０１２を設けた締付ねじ３０１を介して湯口本体２０Ｂを浴槽壁８０に固定できるようにした押え金３０と、湯口本体２０Ｂの給湯管２０１Ｂ及び戻湯管２０２Ｂに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｂの給湯管２０１Ｂ及び戻湯管２０２Ｂを、給湯配管又は戻湯配管のいずれに連結しても給湯と戻湯ができるようにした浴槽湯口装置であって、浴槽孔８０にパッキン１２１０Ｂを介して密着できるようにしたフランジ部１２１Ｂと、フランジ部１２１Ｂに内設した給湯管２０１Ｂ及び戻湯管２０２Ｂと、給湯管２０１Ｂの先方の曲げ管２０１１Ｂ下端に形成し、外周におねじ部２２１Ｂを螺刻した給湯口２２Ｂと、戻湯管２０２Ｂの先方の曲げ管２０２１Ｂ下端に形成し、外周におねじ部２３１Ｂを螺刻した戻湯口２３Ｂとを備えた湯口本体２０Ｂと、後端部５１１の外周面にＯリング５１１１を嵌着し、中間部に後記鍔付ナット６０の鍔部６１１に係合するリング状突条５１２を形成し、先端部５１に多段のたけのこ状ホース接続部を形成した内挿管５０と、内周面に給湯口２２Ｂのおねじ部２２１Ｂ又は戻湯口２３Ｂのおねじ部２３１Ｂに螺合するめねじ６１２を螺刻したナット部６１の先端に、断面リング状の鍔部６１１を形成した鍔付ナット６０とを備えた一対の湯口継手５００とからなり、前記一対の湯口継手５００の各後端部５１１を湯口本体２０Ｂの給湯口２２Ｂ及び戻湯口２３Ｂにそれぞれ挿入して、給湯配管及び戻湯配管との接続を各鍔付ナット６０による手締め螺合で締結できるようにしたものである。
また、本発明の浴槽湯口装置は、上記課題を達成するため、図示するように、請求項４の発明は、一対の湯口継手５００Ｂが、後端部５１１の外周面にＯリング５１１１を嵌着し、中間部に後記鍔付ナット６０の鍔部６１１に係合するリング状突条５１２を形成し、先端部５１Ｂに管用ねじ接続部を形成した内挿管５０Ｂと、内周面に給湯口２２Ｂのおねじ部２２１Ｂ又は戻湯口２３Ｂのおねじ部２３１Ｂに螺合するめねじ６１２を螺刻したナット部６１の先端に、断面リング状の鍔部６１１を形成した鍔付ナット６０とを備えてなり、前記一対の湯口継手５００Ｂの各後端部５１１を湯口本体２０Ｂの給湯口２２Ｂ及び戻湯口２３Ｂにそれぞれ挿入して、給湯配管及び戻湯配管との接続を各鍔付ナット６０による手締め螺合で締結できるようにしたものである。
また、本発明の浴槽湯口装置は、上記課題を達成するため、図示するように、請求項５の発明は、給湯配管及び戻湯配管を先端に接続できるようにした給湯管２０１Ｃ及び戻湯管２０２Ｃを設けた湯口本体２０Ｃと、ヘッド３０１１に螺孔３０１２を設けた締付ねじ３０１を介して湯口本体２０Ｃを浴槽壁８０に固定できるようにした押え金３０と、湯口本体２０Ｃの給湯管２０１Ｃ及び戻湯管２０２Ｃに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｃの給湯管２０１Ｃ及び戻湯管２０２Ｃを、給湯配管又は戻湯配管のいずれに連結しても給湯と戻湯ができるようにした浴槽湯口装置であって、浴槽孔８０にパッキン１２１０Ｃを介して密着できるようにしたフランジ部１２１Ｃと、フランジ部１２１Ｃに内設した給湯管２０１Ｃの先端に形成し、外周におねじ部２２１Ｃを螺刻した第１給湯口２２Ｃと、給湯管２０１Ｃの中間部の立管２０１１Ｃ下端に形成し、外周におねじ部２４１Ｃを螺刻した第２給湯口２４Ｃと、戻湯管２０２Ｃの先端に形成し、外周におねじ部２３１Ｃを螺刻した第１戻湯口２３Ｃと、戻湯管２０２Ｃの立管２０２１Ｃ下端に形成し、外周におねじ部２５１Ｃを螺刻した第２戻湯口２５Ｃとを備えた湯口本体２０Ｃと、後端部５１１の外周面にＯリング５１１１を嵌着し、中間部に後記鍔付ナット６０の鍔部６１１に係合するリング状突条５１２を形成し、先端部５１に多段のたけのこ状ホース接続部を形成した内挿管５０と、内周面に第１給湯口２２Ｃのおねじ部２２１Ｃ又は第２給湯口２４Ｃのおねじ部２４１Ｃ、又は、第１戻湯口２３Ｃのおねじ部２３１Ｃ又は第２戻湯口２５Ｃのおねじ部２５１Ｃに螺合するめねじ６１２を螺刻したナット部６１の先端に、断面リング状の鍔部６１１を形成した鍔付ナット６０とを備えた一対の湯口継手５００とからなり、前記一対の湯口継手５００の各後端部５１１を湯口本体２０Ｃの第１給湯口２２Ｃ又は第２給湯口２４Ｃ及び第１戻湯口２３Ｃ又は第２戻湯口２５Ｃにそれぞれ挿入して、給湯配管及び戻湯配管との接続を各鍔付ナット６０による手締め螺合で締結できるようにすると共に、給湯配管を第１給湯口２２Ｃ、又は、第２給湯口２４Ｃのいずれか一方に接続し、他方を盲栓７２と鍔付ナット６０を螺合して閉じ、戻湯配管を第１戻湯口２３Ｃ、又は、第２戻湯口２５Ｃのいずれか一方に接続し、他方を盲栓７２と鍔付ナット６０を螺合して閉じることができるようにしたものである。
また、本発明の浴槽湯口装置は、上記課題を達成するため、図示するように、請求項６の発明は、一対の湯口継手５００Ｂが、後端部５１１の外周面にＯリング５１１１を嵌着し、中間部に後記鍔付ナット６０の鍔部６１１に係合するリング状突条５１２を形成し、先端部５１Ｂに管用ねじ接続部を形成した内挿管５０Ｂと、内周面に第１給湯口２２Ｃのおねじ部２２１Ｃ又は第２給湯口２４Ｃのおねじ部２４１Ｃ、又は、第１戻湯口２３Ｃのおねじ部２３１Ｃ又は第２戻湯口２５Ｃのおねじ部２５１Ｃに螺合するめねじ６１２を螺刻したナット部６１の先端に、断面リング状の鍔部６１１を形成した鍔付ナット６０とを備えてなり、前記一対の湯口継手５００Ｂの各後端部５１１を湯口本体２０Ｃの第１給湯口２２Ｃ又は第２給湯口２４Ｃ及び第１戻湯口２３Ｃ又は第２戻湯口２５Ｃにそれぞれ挿入して、給湯配管及び戻湯配管との接続を各鍔付ナット６０による手締め螺合で締結できるようにすると共に、給湯配管を第１給湯口２２Ｃ、又は、第２給湯口２４Ｃのいずれか一方に接続し、他方を盲栓７２と鍔付ナット６０を螺合して閉じ、戻湯配管を第１戻湯口２３Ｃ、又は、第２戻湯口２５Ｃのいずれか一方に接続し、他方を盲栓７２と鍔付ナット６０を螺合して閉じることができるようにしたものである。
また、本発明の浴槽湯口装置は、上記課題を達成するため、図示するように、請求項７の発明は、給湯配管及び戻湯配管を先端に接続できるようにした給湯管２０１Ｄ及び戻湯管２０２Ｄを設けた湯口本体２０Ｄと、ヘッド３０１１に螺孔３０１２を設けた締付ねじ３０１を介して湯口本体２０Ｄを浴槽壁８０に固定できるようにした押え金３０と、湯口本体２０Ｄの給湯管２０１ＣＤ及び戻湯管２０２Ｄに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｄの給湯管２０１Ｄ及び戻湯管２０２Ｄを、給湯配管又は戻湯配管のいずれに連結しても給湯と戻湯ができるようにした浴槽湯口装置であって、浴槽孔８０にパッキン１２１０Ｄを介して密着できるようにしたフランジ部１２１Ｄと、フランジ部１２１Ｄに内設した給湯管２０１Ｄの先端のつば２０１２Ｄを形成した給湯口２２Ｄと、戻湯管２０２Ｄの先端のつば２０２２Ｄを形成した戻湯口２３Ｄとを備えた湯口本体２０Ｄと、後端の外周面にＯリング５１１１Ｃを嵌着したシール管５１１Ｃを形成し、中間部に後記ファスナー７１Ｃに係合するつば５０２Ｃを形成し、先端部５１Ｃに多段のたけのこ状ホース接続部を形成した一対の継手管５０Ｃとからなり、前記一対の継手管５０Ｃのシール管５１１Ｃを湯口本体２０Ｄの給湯口２２Ｄ及び戻湯口２３Ｄにそれぞれ挿入し、継手管５０Ｃのつば５０２Ｃと給湯口２２Ｄのつば２０１２Ｄ及び継手管５０Ｃのつば５０２Ｃと戻湯口２３Ｄのつば２０２２Ｄにそれぞれファスナー７１Ｃを嵌着すれば、給湯配管及び戻湯配管との接続が手締めで締結できるようにしたものである。
また、本発明の浴槽湯口装置は、上記課題を達成するため、図示するように、請求項８の発明は、一対の継手管５０Ｄが、後端の外周面にＯリング５１１１Ｃを嵌着したシール管５１１Ｃを形成し、中間部に後記ファスナー７１Ｃに係合するつば５０２Ｃを形成し、先端部５１Ｄに管用ねじ接続部を形成してなり、前記一対の継手管５０Ｄのシール管５１１Ｃを湯口本体２０Ｄの給湯口２２Ｄ及び戻湯口２３Ｄにそれぞれ挿入し、継手管５０Ｄのつば５０２Ｃと給湯口２２Ｄのつば２０１２Ｄ及び継手管５０Ｄのつば５０２Ｃと戻湯口２３Ｄのつば２０２２Ｄにそれぞれファスナー７１Ｃを嵌着すれば、給湯配管及び戻湯配管との接続が手締めで締結できるようにしたものである。
また、本発明の浴槽湯口装置は、上記課題を達成するため、図示するように、請求項９の発明は、給湯配管及び戻湯配管を先端に接続できるようにした給湯管２０１Ｅ及び戻湯管２０２Ｅを設けた湯口本体２０Ｅと、ヘッド３０１１に螺孔３０１２を設けた締付ねじ３０１を介して湯口本体２０Ｅを浴槽壁８０に固定できるようにした押え金３０と、湯口本体２０Ｅの給湯管２０１Ｅ及び戻湯管２０２Ｅに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｅの給湯管２０１Ｅ及び戻湯管２０２Ｅを、給湯配管又は戻湯配管のいずれに連結しても給湯と戻湯ができるようにした浴槽湯口装置であって、浴槽孔８０にパッキン１２１０Ｅを介して密着できるようにしたフランジ部１２１Ｅと、フランジ部１２１Ｅに内設した給湯管２０１Ｅの先方の曲げ管２０１１Ｅ下端のつば２０１２Ｅを形成した給湯口２２Ｅと、戻湯管２０２Ｅの先方の曲げ管２０２１Ｅ下端のつば２０２２Ｅを形成した戻湯口２３Ｅとを備えた湯口本体２０Ｅと、後端の外周面にＯリング５１１１Ｃを嵌着したシール管５１１Ｃを形成し、中間部に後記ファスナー７１Ｃに係合するつば５０２Ｃを形成し、先端部５１Ｃに多段のたけのこ状ホース接続部を形成した一対の継手管５０Ｃとからなり、前記一対の継手管５０Ｃのシール管５１１Ｃを湯口本体２０Ｅの給湯口２２Ｅ及び戻湯口２３Ｅにそれぞれ挿入し、継手管５０Ｃのつば５０２Ｃと給湯口２２Ｅのつば２０１２Ｅ及び継手管５０Ｃのつば５０２Ｃと戻湯口２３Ｅのつば２０２２Ｅにそれぞれファスナー７１Ｃを嵌着すれば、給湯配管及び戻湯配管との接続が手締めで締結できるようにしたものである。
また、本発明の浴槽湯口装置は、上記課題を達成するため、図示するように、請求項１０の発明は、一対の継手管５０Ｄが、後端の外周面にＯリング５１１１Ｃを嵌着したシール管５１１Ｃを形成し、中間部に後記ファスナー７１Ｃに係合するつば５０２Ｃを形成し、先端部５１Ｄに管用ねじ接続部を形成してなり、前記一対の継手管５０Ｄのシール管５１１Ｃを湯口本体２０Ｅの給湯口２２Ｅ及び戻湯口２３Ｅにそれぞれ挿入し、継手管５０Ｄのつば５０２Ｃと給湯口２２Ｅのつば２０１２Ｅ及び継手管５０Ｄのつば５０２Ｃと戻湯口２３Ｅのつば２０２２Ｅにそれぞれファスナー７１Ｃを嵌着すれば、給湯配管及び戻湯配管との接続が手締めで締結できるようにしたものである。
また、本発明の浴槽湯口装置は、上記課題を達成するため、図示するように、請求項１１の発明は、給湯配管及び戻湯配管を先端に接続できるようにした給湯管２０１Ｆ及び戻湯管２０２Ｆを設けた湯口本体２０Ｆと、ヘッド３０１１に螺孔３０１２を設けた締付ねじ３０１を介して湯口本体２０Ｆを浴槽壁８０に固定できるようにした押え金３０と、湯口本体２０Ｆの給湯管２０１Ｆ及び戻湯管２０２Ｆに、それぞれ挿入する給湯内管１０１及び戻湯内管１０２を設けると共に、給湯と戻湯の流通を切替える湯口部１０であって、締付ねじヘッド３０１１に穿設した螺孔３０１２を介してねじ１０３により固着できるようにしたものと、湯口部１０を被覆できるようにした網カバー４０とを備え、湯口本体２０Ｆの給湯管２０１Ｆ及び戻湯管２０２Ｆを、給湯配管又は戻湯配管のいずれに連結しても給湯と戻湯ができるようにした浴槽湯口装置であって、浴槽孔８０にパッキン１２１０Ｆを介して密着できるようにしたフランジ部１２１Ｆと、フランジ部１２１Ｆに内設した給湯管２０１Ｆの先端のつば２０１２Ｆを形成した第１給湯口２２Ｆと、給湯管２０１Ｆの中間部の立管２０１１Ｆの下端のつば２０１３Ｆを形成した第２給湯口２２１Ｆと、戻湯管２０２Ｆの先端のつば２０２２Ｆを形成した第１戻湯口２３Ｆと、戻湯管２０２Ｆの中間部の立管２０２１Ｆの下端のつば２０２３Ｆを形成した第２給湯口２３１Ｆとを備えた湯口本体２０Ｆと、後端の外周面にＯリング５１１１Ｃを嵌着したシール管５１１Ｃを形成し、中間部に後記ファスナー７１Ｃに係合するつば５０２Ｃを形成し、先端部５１Ｃに多段のたけのこ状ホース接続部を形成した一対の継手管５０Ｃとからなり、前記一対の継手管５０Ｃのシール管５１１Ｃを湯口本体２０Ｆの第１給湯口２２Ｆ又は第２給湯口２２１Ｆ及び第１戻湯口２３Ｆ又は第２戻湯口２３１Ｆにそれぞれ挿入し、継手管５０Ｃのつば５０２Ｃと第１給湯口２２Ｆのつば２０１２Ｆ又は第２給湯口２２１Ｆのつば２０１３Ｆ及び継手管５０Ｃのつば５０２Ｃと第１戻湯口２３Ｆのつば２０２２Ｆ又は第２戻湯口２３１Ｆのつば２０２３Ｆにそれぞれファスナー７１Ｃを嵌着すれば、給湯配管及び戻湯配管との接続が手締めで締結できるようにすると共に、給湯配管を第１給湯口２２Ｆ、又は、第２給湯口２２１Ｆのいずれか一方に接続し、他方を盲栓７２Ｃとファスナー７１Ｃで閉じ、戻湯配管を第１戻湯口２３Ｆ、又は、第２戻湯口２３１Ｆのいずれか一方に接続し、他方を盲栓７２Ｃとファスナー７１Ｃで閉じることができるようにしたものである。
また、本発明の浴槽湯口装置は、上記課題を達成するため、図示するように、請求項１２の発明は、一対の継手管５０Ｄが、後端の外周面にＯリング５１１１Ｃを嵌着したシール管５１１Ｃを形成し、中間部に後記ファスナー７１Ｃに係合するつば５０２Ｃを形成し、先端部５１Ｄに管用ねじ接続部を形成してなり、前記一対の継手管５０Ｄのシール管５１１Ｃを湯口本体２０Ｆの第１給湯口２２Ｆ又は第２給湯口２２１Ｆ及び第１戻湯口２３Ｆ又は第２戻湯口２３１Ｆにそれぞれ挿入し、継手管５０Ｄのつば５０２Ｃと第１給湯口２２Ｆのつば２０１２Ｆ又は第２給湯口２２１Ｆのつば２０１３Ｆ及び継手管５０Ｄのつば５０２Ｃと第１戻湯口２３Ｆのつば２０２２Ｆ又は第２戻湯口２３１Ｆのつば２０２３Ｆにそれぞれファスナー７１Ｃを嵌着すれば、給湯配管及び戻湯配管との接続が手締めで締結できるようにすると共に、給湯配管を第１給湯口２２Ｆ、又は、第２給湯口２２１Ｆのいずれか一方に接続し、他方を盲栓７２Ｃとファスナー７１Ｃで閉じ、戻湯配管を第１戻湯口２３Ｆ、又は、第２戻湯口２３１Ｆのいずれか一方に接続し、他方を盲栓７２Ｃとファスナー７１Ｃで閉じることができるようにしたものである。
本発明において、湯口本体は、従来の直接配管されていた給湯筒部及び戻湯筒部を除いて、湯口継手を接続するための共通本体を形成したものである。
また、本発明において、湯口継手は、配管がホースタイプかナットタイプかにより、たけのこ状継手又はねじ込み継手とに分かれる。
また、本発明において、鍔付ナットは、ナット部の内周面の螺刻面より内径の小さい鍔部を螺入口と反対方向の出口にもつもので、円筒状の丸ナット型のほか、外形が六角形の六角ナット型のものが含まれ、また、金属製のほか合成樹脂製のものが含まれる。
また、本発明において、シール管は、円筒状で外周部分に１条または複数状のＯリング、角リングなどを嵌着したもので、給湯口又は戻湯口に挿入されて密着して漏洩防止できるように形成されている。
また、本発明において、ファスナーは、図３−１の７１Ｃのように、スプリング板製で、コ字状の形状で、両側面に長穴が形成され、継手管のつばに外嵌して締結するもので、図７に示すように、中間部がつばに外嵌して抜けにくいように、丸型に形成されたものでもよい。
【発明の効果】
【０００５】
本発明浴槽湯口装置は、ねじ込タイプやたけのこ挿入タイプにより配管接続が異なっても、同じ湯口本体で継手を取り替えるだけで、共通使用できるため、製作費用が安価につき、ストックの量を減らすことができる。
また、本発明浴槽湯口装置は、作業現場へ幾種類もの湯口本体を持って行かなくても、必要な継手を持って行けばよく、運搬する部品数、重量が減少できる。
また、本発明浴槽湯口装置は、暗く狭い場所でも手探りでも手締めで継手ナットの締結ができるため、迅速容易に作業ができることになる。
また、本発明浴槽湯口装置は、構造簡単で、組立分解が誰でもできる上に、浴槽への取付は一人の作業員でできる利点がある。
また、本発明浴槽湯口装置は、給湯配管及び戻湯配管とをどちらを給湯管又は戻湯管に選択して接続してもよく、作業上の誤りを防止できるうえに、厚みのある浴槽壁でも余裕をもって取り付けできる利点がある。
さらに、本発明浴槽湯口装置は、製作容易で大部分を合成樹脂製に代えることができ、安価に提供できる利点がある。
【発明を実施するための最良の形態】
【０００６】
本発明実施例１は、図１−１乃至図１−７に示されている。  また、本発明実施例２は、図１−８に示されている。  また、本発明実施例３は、図２−１乃至図２−３に示されている。  また、本発明実施例４は、図２−１、図２−２及び図２−４に示されている。  また、本発明実施例５は、図３−１に示されている。  また、本発明実施例６は、図３−２に示されている。  また、本発明実施例７は、図４−１に示されている。  また、本発明実施例８は、図４−２に示されている。  また、本発明実施例９は、図５−１に示されている。  また、本発明実施例１０は、図５−２に示されている。  また、本発明実施例１１は、図６−１に示されている。  また、本発明実施例１２は、図６−２に示されている。
【実施例１】
【０００７】
本発明実施例１が図１−１乃至図１−７に示されている。
本発明実施例の浴槽湯口装置は、湯口本体２０と、押え金３０と、湯口部１０と、湯口継手５００とを備えている。
湯口本体２０は、浴槽孔８０にパッキン１２１０を介して密着させるようにした円板状フランジ部１２１と、フランジ部１２１に内設した給湯管２０１と戻湯管２０２と、給湯管２０１の先端部に形成し、外周におねじ部２２１を螺刻した給湯口２２と、戻湯管２０２の先端部に形成し、外周におねじ部２３１を螺刻した戻湯口２３と、中心部にめねじ２１０１と、給湯管２０１及び戻湯管２０２への連通孔２１０２及び２１０３とを備えている。
押え金３０は、図１−２に示すように、長板３１と締付ねじ３０１とからなり、長板３１は断面コ字状で長方形に形成され、中心部に締付ねじ３０１の貫入する孔３００１を設けている。
また、押え金３０は、図１−３に示すように、Ｙ字状に形成され、中心部に締付ねじ３０１Ｂの貫入する孔３００１Ｂを設けたものでもよい。
締付ねじ３０１Ｃは、ヘッド３０１１Ｃ中心に湯口部１０Ｃのねじ１０３Ｃが螺入できる螺孔３０１２Ｃを設けている。
湯口部１０は、図１−１、図１−４、図１−５、図１−６及び図１−７に示すように、箱体１００と給湯内管１０１と戻湯内管１０２と仕切室１１、１２、１３と開閉弁１５１、１５２と開口部１４とからなり、箱体１００は、円形箱状に形成して第１室１１と第２室１２と第３室１３とに仕切られ、湯口本体２０の給湯管２０１に挿入された給湯内管１０１の出口１０１２は、仕切室１１に連通し、仕切室１１の中途の開口部１１０１を下端１２０１を閉塞した仕切室１２へ連通し、湯口本体２０の戻湯管２０２に挿入された戻湯内管１０２の入口１０２２は、仕切室１３に連通し、仕切室１３の中途の開口部１３０１を下端１４０１を閉塞した仕切室１２へ連通している。給湯内管１０１と戻湯内管１０２は、箱体１００の中央部から水平に平行に並べて連設され、それぞれ先端にＯリング１０１１、１０２１が装着されている。
開閉弁１５１、１５２は、図１−６及び図１−７に示すように、２個の平板状弁から形成され、箱体１００の仕切室１１の下端に設けた開口１１１及び仕切室１３の下端に設けた開口１３１の一方を開き、他方を閉じることができるように、軸１５１１、１５２１で箱体１００に軸着している。
網カバー４０は、図１−４に示すように、ステンレス板４１をトレイ状に成型して、前面にメッシュ窓４２を打ち抜いたもので、仕切箱１０の箱体１００に外嵌して係合できるように形成されている。
湯口継手５００は、内挿管５０と、鍔付ナット６０とからなる。
内挿管５０は、後端部５１１と先端部５１とリング状突条５１２とからなる。
後端部５１１は、断面円筒形で２条のＯリング５１１１が嵌着されていて、湯口本体２０の給湯口２２及び戻湯口２３に挿入されて、密着して漏洩防止できるように形成されている。
先端部５１は、内挿管５０の先端に形成されており、内部に給湯口内側２２１１へ連通する穴５０１及び戻湯口内側２３１１へ連通する穴５０１がそれぞれ明けられており、外周部は多段のたけのこ状ホース接続部を形成されている。
リング状突条５１２は、内挿管５０の中間部外周に円環状に立設されている。
鍔付ナット６０は、断面円筒状のナット部６１と鍔部６１１とからなり、ナット部６１の外周面にはすべり止めローレットが形成されており、鍔部６１１は、ナット部６１の先端に内周の螺刻面より内径の小さいリング状に形成されている。
ナット部６１の外周面は、六角形に形成された六角ナット型のものでもよい。
従って、浴槽湯口装置を取り付ける時は、一対の内挿管５０の先端部５１から鍔付ナット６０のめねじ６１２を外嵌し、先端部５１にそれぞれフレキシブルホースを接続したのち、鍔付ナット６０の鍔部６１１を内挿管５０のリング状突条５１２に係止して、各鍔付ナット６０を湯口本体２０の給湯口２２及び戻湯口２３に、スパナを使わず手締め螺合したのち、湯口本体２０のフランジ部１２１にパッキン１２１０をかぶせ、浴槽孔８０に密着させて、浴槽内側から締付ねじ３０１を介して押え金３０で湯口本体２０を螺合し、湯口部１０の給湯内管１０１と戻湯内管１０２を、湯口本体２０の給湯管２０１及び戻湯管２０２の中にそれぞれ挿入して、ねじ１０３でねじ締めし、さらに、網カバー４０を湯口部１０の箱体１００に係合すればよい。
【実施例２】
【０００８】
本発明の実施例２が図１−８に示されている
本発明実施例の浴槽湯口装置は、湯口本体２０と、押え金３０と、湯口部１０と、湯口継手５００Ｂとを備えている。
湯口本体２０、押え金３０、湯口部１０の構成は、本発明実施例１と同じであるので詳細説明は省略する。
湯口継手５００Ｂは、内挿管５０Ｂと、鍔付ナット６０とからなる。  内挿管５０Ｂは、後端部５１１Ｂと先端部５１Ｂとリング状突条５１２Ｂとからなる。
後端部５１１Ｂは、断面円筒形で２条のＯリング５１１１Ｂが嵌着されていて、湯口本体２０の給湯口２２及び戻湯口２３に挿入されて、密着して漏洩防止できるように形成されている。
先端部５１Ｂは、内挿管５０Ｂの先端に形成されており、内部に給湯口内側２２１１へ連通する穴５０１Ｂ及び戻湯口内側２３１１へ連通する穴５０１Ｂが明けられており、外周部は管用おねじが螺刻されている。  なお、５１３Ｂはスパナ掴みである。
リング状突条５１２Ｂは、内挿管５０Ｂのほぼ中間部外周に円環状に立設されている。
鍔付ナット６０は、断面円筒状のナット部６１と鍔部６１１とからなり、ナット部６１の外周面にはすべり止めローレットが形成されており、鍔部６１１は、ナット部６１の先端に内周の螺刻面より内径の小さいリング状に形成されている。
ナット部６１の外周面は、六角形に形成された六角ナット型のものでもよい。
従って、浴槽湯口装置を取り付ける時は、一対の内挿管５０Ｂの先端部５１Ｂから鍔付ナット６０のめねじ６１２を外嵌し、先端部５１Ｂにそれぞれねじ込みナットをつけた配管を接続したのち、鍔付ナット６０の鍔部６１１を内挿管５０Ｂのリング状突条５１２Ｂに係止して、各鍔付ナット６０を湯口本体２０の給湯口２２及び戻湯口２３に、スパナを使わず手締め螺合したのち、湯口本体２０のフランジ部１２１にパッキン１２１０をかぶせ、浴槽孔８０に密着させて、浴槽内側から締付ねじ３０１を介して押え金３０で湯口本体２０を螺合し、湯口部１０の給湯内管１０１と戻湯内管１０２を、湯口本体２０の給湯管２０１及び戻湯管２０２の中にそれぞれ挿入して、ねじ１０３でねじ締めし、さらに、網カバー４０を湯口部１０の箱体１００に係合すればよい。
【実施例３】
【０００９】
本発明の実施例３が図２−１乃至図２−３に示されている。
本発明実施例の浴槽湯口装置は、湯口本体２０Ｂと、押え金３０と、湯口部１０と、湯口継手５００とを備えている。
押え金３０、湯口部１０の構成は、本発明実施例１と同じであるので詳細説明は省略する。
湯口本体２０Ｂは、浴槽孔８０にパッキン１２１０Ｂを介して密着させるようにした円板状フランジ部１２１Ｂと、フランジ部１２１Ｂに内設した給湯管２０１Ｂと戻湯管２０２Ｂと、給湯管２０１Ｂの後方の曲げ管２０１１Ｂの下端に形成し、外周におねじ部２２１Ｂを螺刻した給湯口２２Ｂと、戻湯管２０２Ｂの後方の曲げ管２０２１Ｂ下端に形成し、外周におねじ部２３１Ｂを螺刻した戻湯口２３Ｂと、中心部にめねじ２１０１Ｂと、給湯管２０１Ｂ及び戻湯管２０２Ｂへの連通孔２１０２Ｂ及び２１０３Ｂとを備えている。
湯口継手５００は、内挿管５０と、鍔付ナット６０とからなる。
内挿管５０と、鍔付ナット６０の構成は、本発明実施例１と同じであるので、詳細説明は省略する。
従って、浴槽湯口装置を取り付ける時は、一対の内挿管５０の先端部５１から鍔付ナット６０のめねじ６１２を外嵌し、先端部５１にそれぞれフレキシブルホースを接続したのち、鍔付ナット６０の鍔部６１１を内挿管５０のリング状突条５１２に係止して、各鍔付ナット６０を湯口本体２０Ｂの給湯口２２Ｂ及び戻湯口２３Ｂに、スパナを使わず手締め螺合したのち、湯口本体２０Ｂのフランジ部１２１Ｂにパッキン１２１０Ｂをかぶせ、浴槽孔８０に密着させて、浴槽内側から締付ねじ３０１を介して押え金３０で湯口本体２０Ｂを螺合し、湯口部１０の給湯内管１０１と戻湯内管１０２を、湯口本体２０Ｂの給湯管２０１Ｂ及び戻湯管２０２Ｂの中にそれぞれ挿入して、ねじ１０３でねじ締めし、さらに、網カバー４０を湯口部１０の箱体１００に係合すればよい。
【実施例４】
【００１０】
本発明の実施例４が図２−１、図２−２及び図２−４に示されている。
本発明実施例の浴槽湯口装置は、湯口本体２０Ｂと、押え金３０と、湯口部１０と、湯口継手５００Ｂとを備えている。
押え金３０、湯口部１０の構成は、本発明実施例１と同じであるので詳細説明は省略する。
湯口本体２０Ｂの構成は、本発明実施例３と同じであるので詳細説明は省略する。
湯口継手５００Ｂは、内挿管５０Ｂと、鍔付ナット６０とからなる。
内挿管５０Ｂと、鍔付ナット６０の構成は、本発明実施例２と同じであるので、詳細説明は省略する。
従って、浴槽湯口装置を取り付ける時は、一対の内挿管５０Ｂの先端部５１Ｂから鍔付ナット６０のめねじ６１２を外嵌し、先端部５１Ｂにそれぞれねじ込みナットをつけた配管を接続したのち、鍔付ナット６０の鍔部６１１を内挿管５０Ｂのリング状突条５１２Ｂに係止して、各鍔付ナット６０を湯口本体２０Ｂの給湯口２２Ｂ及び戻湯口２３Ｂに、スパナを使わず手締め螺合したのち、湯口本体２０Ｂのフランジ部１２１Ｂにパッキン１２１０Ｂをかぶせ、浴槽孔８０に密着させて、浴槽内側から締付ねじ３０１を介して押え金３０で湯口本体２０Ｂを螺合し、湯口部１０の給湯内管１０１と戻湯内管１０２を、湯口本体２０Ｂの給湯管２０１及び戻湯管２０２の中にそれぞれ挿入して、ねじ１０３でねじ締めし、さらに、網カバー４０を湯口部１０の箱体１００に係合すればよい。
【実施例５】
【００１１】
本発明の実施例５が図３−１、図３−２及び図３−３に示されている。
本発明実施例の浴槽湯口装置は、湯口本体２０Ｃと、押え金３０と、湯口部１０と、湯口継手５００とを備えている。
押え金３０、湯口部１０の構成は、本発明実施例１と同じであるので詳細説明は省略する。
湯口本体２０Ｃは、浴槽孔８０にパッキン１２１０Ｃを介して密着できるようにしたフランジ部１２１Ｃと、フランジ部１２１Ｃに内設した給湯管２０１Ｃと戻湯管２０２Ｃと、給湯管２０１Ｃの先端に形成し、外周におねじ部２２１Ｃを螺刻した第１給湯口２２Ｃと、給湯管２０１Ｃの中間部の立管２０１１Ｃ下端に形成し、外周におねじ部２４１Ｃを螺刻した第２給湯口２４Ｃと、戻湯管２０２Ｃの先端に形成し、外周におねじ部２３１Ｃを螺刻した第１戻湯口２３Ｃと、戻湯管２０２Ｃの中間部の立管２０２１Ｃ下端に形成し、外周におねじ部２５１Ｃを螺刻した第２戻湯口２５Ｃとを備えている。  湯口継手５００は、内挿管５０と、鍔付ナット６０とからなる。
内挿管５０と、鍔付ナット６０の構成は、本発明実施例１と同じであるので、詳細説明は省略する。
従って、浴槽湯口装置を取り付ける時は、一対の内挿管５０の先端部５１から鍔付ナット６０のめねじ６１２を外嵌し、先端部５１にそれぞれフレキシブルホースを接続したのち、鍔付ナット６０の鍔部６１１を内挿管５０のリング状突条５１２に係止して、各鍔付ナット６０を湯口本体２０Ｃの第１給湯口２２Ｃ又は第２給湯口２４Ｃのいずれか一方に手締め螺合し、他方を盲栓７２と鍔付ナット６０を手締め螺合して閉じ、また、鍔付ナット６０を第１戻湯口２３Ｃ又は第２戻湯口２５Ｃのいずれか一方に手締め螺合し、他方を盲栓７２と鍔付ナット６０を手締め螺合して閉じたのち、湯口本体２０Ｃのフランジ部１２１Ｃにパッキン１２１０Ｃをかぶせ、浴槽孔８０に密着させて、浴槽内側から締付ねじ３０１を介して押え金３０で湯口本体２０Ｃを螺合し、湯口部１０の給湯内管１０１と戻湯内管１０２を、湯口本体２０Ｃの給湯管２０１Ｃ及び戻湯管２０２Ｃの中にそれぞれ挿入して、ねじ１０３でねじ締めし、さらに、網カバー４０を湯口部１０の箱体１００に係合すればよい。
【実施例６】
【００１２】
本発明の実施例６が図３−２、図３−２及び図３−４に示されている。
本発明実施例の浴槽湯口装置は、湯口本体２０Ｃと、押え金３０と、湯口部１０と、湯口継手５００Ｂとを備えている。
押え金３０、湯口部１０の構成は、本発明実施例１と同じであるので詳細説明は省略する。
湯口本体２０Ｃの構成は、本発明実施例５と同じであるので詳細説明は省略する。
湯口継手５００Ｂは、内挿管５０Ｂと、鍔付ナット６０とからなる。
内挿管５０Ｂと、鍔付ナット６０の構成は、本発明実施例２と同じであるので、詳細説明は省略する。
従って、浴槽湯口装置を取り付ける時は、一対の内挿管５０Ｂの先端部５１Ｂから鍔付ナット６０のめねじ６１２を外嵌し、先端部５１Ｂにそれぞれねじ込みナットをつけた配管を接続したのち、鍔付ナット６０の鍔部６１１を内挿管５０Ｂのリング状突条５１２Ｂに係止して、各鍔付ナット６０を湯口本体２０Ｃの第１給湯口２２Ｃ又は第２給湯口２４Ｃのいずれか一方に手締め螺合し、他方を盲栓７２と鍔付ナット６０を手締め螺合して閉じ、また、鍔付ナット６０を第１戻湯口２３Ｃ又は第２戻湯口２５Ｃのいずれか一方に手締め螺合し、他方を盲栓７２と鍔付ナット６０を手締め螺合して閉じたのち、湯口本体２０Ｃのフランジ部１２１Ｃにパッキン１２１０Ｃをかぶせ、浴槽孔８０に密着させて、浴槽内側から締付ねじ３０１を介して押え金３０で湯口本体２０Ｃを螺合し、湯口部１０の給湯内管１０１と戻湯内管１０２を、湯口本体２０Ｃの給湯管２０１Ｃ及び戻湯管２０２Ｃの中にそれぞれ挿入して、ねじ１０３でねじ締めし、さらに、網カバー４０を湯口部１０の箱体１００に係合すればよい。
【実施例７】
【００１３】
本発明の実施例７が図４−１に示されている。
本発明実施例の浴槽湯口装置は、湯口本体２０Ｄと、押え金３０と、湯口部１０と、継手管５０Ｃとを備えている。
押え金３０、湯口部１０の構成は、本発明実施例１と同じであるので詳細説明は省略する。
湯口本体２０Ｄは、浴槽孔８０にパッキン１２１０Ｄを介して密着させるようにした円板状フランジ部１２１Ｄと、フランジ部１２１Ｄに内設した給湯管２０１Ｄと戻湯管２０２Ｄと、給湯管２０１Ｄの先端のつば２０１２Ｄを形成した給湯口２２Ｄと、戻湯管２０２Ｄの先端のつば２０２２Ｄを形成した戻湯口２３Ｄと、中心部にめねじ２１０１Ｄと、給湯管２０１Ｄ及び戻湯管２０２Ｄへの連通孔２１０２Ｄ及び２１０３Ｄとを備えている。
継手管５０Ｃは、後端の外周面にＯリング５１１１Ｃを嵌着したシール管５１１Ｃを形成し、中間部に後記ファスナー７１Ｃに係合するつば５０２Ｃを形成し、先端部５１Ｃに多段のたけのこ状ホース接続部が形成されている。
従って、浴槽湯口装置を取り付ける時は、一対の継手管５０Ｃの先端部５１Ｃにそれぞれフレキシブルホースを接続したのち、シール管５１１Ｃを湯口本体２０Ｄの給湯口２２Ｄ及び戻湯口２３Ｄに嵌入し、継手管５０Ｃのつば５０２Ｃと給湯管２０１Ｄのつば２０１２Ｄにファスナー７１Ｃを嵌着して固定し、また、継手管５０Ｃのつば５０２Ｃと戻湯管２０２Ｄのつば２０２２Ｄにファスナー７１Ｃを嵌着して固定したのち、湯口本体２０Ｄのフランジ部１２１Ｄにパッキン１２１０Ｄをかぶせ、浴槽孔８０に密着させて、浴槽内側から締付ねじ３０１を介して押え金３０で湯口本体２０Ｄを螺合し、湯口部１０の給湯内管１０１と戻湯内管１０２を、湯口本体２０Ｄの給湯管２０１Ｄ及び戻湯管２０２Ｄの中にそれぞれ挿入して、ねじ１０３でねじ締めし、さらに、網カバー４０を湯口部１０の箱体１００に係合すればよい。
【実施例８】
【００１４】
本発明の実施例８が図４−２に示されている。
本発明実施例の浴槽湯口装置は、湯口本体２０Ｄと、押え金３０と、湯口部１０と、継手管５０Ｄとを備えている。
押え金３０、湯口部１０の構成は、本発明実施例１と同じであるので詳細説明は省略する。
湯口本体２０Ｄの構成は、本発明実施例７と同じであるので詳細説明は省略する。
継手管５０Ｄは、後端の外周面にＯリング５１１１Ｃを嵌着したシール管５１１Ｃを形成し、中間部に後記ファスナー７１Ｃに係合するつば５０２Ｃを形成し、先端部５１Ｄに管用ねじ接続部が形成されている。
なお、５１３Ｄはスパナ掴みである。
従って、浴槽湯口装置を取り付ける時は、一対の継手管５０Ｄの先端部５１Ｄにそれぞれねじ込みナットをつけた配管を接続したのち、シール管５１１Ｃを湯口本体２０Ｄの給湯口２２Ｄ及び戻湯口２３Ｄに嵌入し、継手管５０Ｄのつば５０２Ｃと給湯管２０１Ｄのつば２０１２Ｄにファスナー７１Ｃを嵌着して固定し、また、継手管５０Ｄのつば５０２Ｃと戻湯管２０２Ｄのつば２０２２Ｄにファスナー７１Ｃを嵌着して固定したのち、湯口本体２０Ｄのフランジ部１２１Ｄにパッキン１２１０Ｄをかぶせ、浴槽孔８０に密着させて、浴槽内側から締付ねじ３０１を介して押え金３０で湯口本体２０Ｄを螺合し、湯口部１０の給湯内管１０１と戻湯内管１０２を、湯口本体２０Ｄの給湯管２０１Ｄ及び戻湯管２０２Ｄの中にそれぞれ挿入して、ねじ１０３でねじ締めし、さらに、網カバー４０を湯口部１０の箱体１００に係合すればよい。
【実施例９】
【００１５】
本発明の実施例９が図５−１に示されている。
本発明実施例の浴槽湯口装置は、湯口本体２０Ｅと、押え金３０と、湯口部１０と、継手管５０Ｃとを備えている。
押え金３０、湯口部１０の構成は、本発明実施例１と同じであるので詳細説明は省略する。
湯口本体２０Ｅは、浴槽孔８０にパッキン１２１０Ｅを介して密着さ浴槽孔８０にパッキン１２１０Ｅを介して密着できるようにしたフランジ部１２１Ｅと、フランジ部１２１Ｅに内設した給湯管２０１Ｅと戻湯管２０２Ｅと、給湯管２０１Ｅの先方の曲げ管２０１１Ｅ下端のつば２０１２Ｅを形成した給湯口２２Ｅと、戻湯管２０２Ｅの先方の曲げ管２０２１Ｅ下端のつば２０２２Ｅを形成した戻湯口２３Ｅとを備えている。
継手管５０Ｃの構成は、本発明実施例７と同じであるので詳細説明は省略する。
従って、浴槽湯口装置を取り付ける時は、一対の継手管５０Ｃの先端部５１Ｃにそれぞれフレキシブルホースを接続したのち、シール管５１１Ｃを湯口本体２０Ｅの給湯口２２Ｅ及び戻湯口２３Ｅに嵌入し、継手管５０Ｃのつば５０２Ｃと曲げ管２０１１Ｅのつば２０１２Ｅにファスナー７１Ｃを嵌着して固定し、また、継手管５０Ｃのつば５０２Ｃと曲げ管２０２１Ｅのつば２０２２Ｅにファスナー７１Ｃを嵌着して固定したのち、湯口本体２０Ｅのフランジ部１２１Ｅにパッキン１２１０Ｅをかぶせ、浴槽孔８０に密着させて、浴槽内側から締付ねじ３０１を介して押え金３０で湯口本体２０Ｅを螺合し、湯口部１０の給湯内管１０１と戻湯内管１０２を、湯口本体２０Ｅの給湯管２０１Ｅ及び戻湯管２０２Ｅの中にそれぞれ挿入して、ねじ１０３でねじ締めし、さらに、網カバー４０を湯口部１０の箱体１００に係合すればよい。
【実施例１０】
【００１６】
本発明の実施例１０が図５−２に示されている。
本発明実施例の浴槽湯口装置は、湯口本体２０Ｅと、押え金３０と、湯口部１０と、継手管５０Ｄとを備えている。
押え金３０、湯口部１０の構成は、本発明実施例１と同じであるので詳細説明は省略する。
湯口本体２０Ｅの構成は、本発明実施例９と同じであるので詳細説明は省略する。
継手管５０Ｄの構成は、本発明実施例８と同じであるので詳細説明は省略する。
従って、浴槽湯口装置を取り付ける時は、一対の継手管５０Ｄの先端部５１Ｄにそれぞれ管用ねじ込みナットをつけた配管を接続したのち、シール管５１１Ｃを湯口本体２０Ｅの給湯口２２Ｅ及び戻湯口２３Ｅに嵌入し、継手管５０Ｄのつば５０２Ｃと曲げ管２０１１Ｅのつば２０１２Ｅにファスナー７１Ｃを嵌着して固定し、また、継手管５０Ｄのつば５０２Ｃと曲げ管２０２１Ｅのつば２０２２Ｅにファスナー７１Ｃを嵌着して固定したのち、湯口本体２０Ｅのフランジ部１２１Ｅにパッキン１２１０Ｅをかぶせ、浴槽孔８０に密着させて、浴槽内側から締付ねじ３０１を介して押え金３０で湯口本体２０Ｅを螺合し、湯口部１０の給湯内管１０１と戻湯内管１０２を、湯口本体２０Ｅの給湯管２０１Ｅ及び戻湯管２０２Ｅの中にそれぞれ挿入して、ねじ１０３でねじ締めし、さらに、網カバー４０を湯口部１０の箱体１００に係合すればよい。
【実施例１１】
【００１７】
本発明の実施例１１が図６−１に示されている。
本発明実施例の浴槽湯口装置は、湯口本体２０Ｆと、押え金３０と、湯口部１０と、継手管５０Ｃとを備えている。
押え金３０、湯口部１０の構成は、本発明実施例１と同じであるので詳細説明は省略する。
湯口本体２０Ｆは、浴槽孔８０にパッキン１２１０Ｆを介して密着できるようにしたフランジ部１２１Ｆと、フランジ部１２１Ｃに内設した給湯管２０１Ｆと戻湯管２０２Ｆと、給湯管２０１Ｆの先端のつば２０１２Ｆを形成した第１給湯口２２Ｆと、給湯管２０１Ｆの中間部の立管２０１１Ｆ下端のつば２０１３Ｆを形成した第２給湯口２２１Ｆと、戻湯管２０２Ｆの先端のつば２０２２Ｆを形成した第１戻湯口２３Ｆと、戻湯管２０２Ｆの中間部の立管２０２１Ｆ下端のつば２０２３Ｆを形成した第２戻湯口２３１Ｆとを備えている。
継手管５０Ｃの構成は、本発明実施例７と同じであるので詳細説明は省略する。
従って、浴槽湯口装置を取り付ける時は、一対の継手管５０Ｃの先端部５１Ｃにそれぞれフレキシブルホースを接続したのち、シール管５１１Ｃを湯口本体２０Ｆの第１給湯口２２Ｆ又は第２給湯口２２１Ｆのいずれか一方に嵌入し、継手管５０Ｃのつば５０２Ｃと給湯管２０１Ｆのつば２０１２Ｆ又は立管２０１１Ｆのつば２０１３Ｆにファスナー７１Ｃを嵌着して固定し、他方を盲栓７２Ｃとファスナー７１Ｃで閉じ、また、シール管５１１Ｃを第１戻湯口２３Ｆ又は第２戻湯口２３１Ｆのいずれか一方に嵌入し、継手管５０Ｃのつば５０２Ｃと戻湯管２０２Ｆのつば２０２２Ｆ又は立管２０２１Ｆのつば２０２３Ｆにファスナー７１Ｃを嵌着して固定したのち、他方を盲栓７２Ｃとファスナー７１Ｃで閉じたのち、湯口本体２０Ｆのフランジ部１２１Ｆにパッキン１２１０Ｆをかぶせ、浴槽孔８０に密着させて、浴槽内側から締付ねじ３０１を介して押え金３０で湯口本体２０Ｆを螺合し、湯口部１０の給湯内管１０１と戻湯内管１０２を、湯口本体２０Ｆの給湯管２０１Ｆ及び戻湯管２０２Ｆの中にそれぞれ挿入して、ねじ１０３でねじ締めし、さらに、網カバー４０を湯口部１０の箱体１００に係合すればよい。
【実施例１２】
【００１８】
本発明の実施例１２が図６−２に示されている。
本発明実施例の浴槽湯口装置は、湯口本体２０Ｆと、押え金３０と、湯口部１０と、継手管５０Ｄとを備えている。
押え金３０、湯口部１０の構成は、本発明実施例１と同じであるので詳細説明は省略する。
湯口本体２０Ｆの構成は、本発明実施例７と同じであるので詳細説明は省略する。
継手管５０Ｄの構成は、本発明実施例８と同じであるので詳細説明は省略する。
従って、浴槽湯口装置を取り付ける時は、一対の継手管５０Ｄの先端部５１Ｄにそれぞれ管用ねじ込みナットをつけた配管を接続したのち、シール管５１１Ｃを湯口本体２０Ｆの第１給湯口２２Ｆ又は第２給湯口２２１Ｆのいずれか一方に嵌入し、継手管５０Ｄのつば５０２Ｃと給湯管２０１Ｆのつば２０１２Ｆ又は立管２０１１Ｆのつば２０１３Ｆにファスナー７１Ｃを嵌着して固定し、他方を盲栓７２Ｃとファスナー７１Ｃで閉じ、また、シール管５１１Ｃを第１戻湯口２３Ｆ又は第２戻湯口２３１Ｆのいずれか一方に嵌入し、継手管５０Ｄのつば５０２Ｃと戻湯管２０２Ｆのつば２０２２Ｆ又は立管２０２１Ｆのつば２０２３Ｆにファスナー７１Ｃを嵌着して固定したのち、他方を盲栓７２Ｃとファスナー７１Ｃで閉じたのち、湯口本体２０Ｆのフランジ部１２１Ｆにパッキン１２１０Ｆをかぶせ、浴槽孔８０に密着させて、浴槽内側から締付ねじ３０１を介して押え金３０で湯口本体２０Ｆを螺合し、湯口部１０の給湯内管１０１と戻湯内管１０２を、湯口本体２０Ｆの給湯管２０１Ｆ及び戻湯管２０２Ｆの中にそれぞれ挿入して、ねじ１０３でねじ締めし、さらに、網カバー４０を湯口部１０の箱体１００に係合すればよい。
【産業上の利用可能性】
【００１９】
本発明の浴槽湯口装置は、構造簡単で安価に量産できる。
【図面の簡単な説明】
【００２０】
【図１−１】本発明実施例の浴槽湯口装置の使用状態説明図である。
【図１−２】図１−１の湯口本体と押え金の組立前の説明図である。
【図１−３】図１−１の押え金の組立前の別の説明図である。
【図１−４】図１−１の湯口部の斜視図である。
【図１−５】図１−４の網カバーを除いたときの斜視図である。
【図１−６】図１−５の仕切板を除いたときの説明図である。
【図１−７】図１−６の縦断面を示す説明図である。
【図１−８】別の本発明実施例の浴槽湯口装置の使用状態説明図である。
【図２−１】さらに別の本発明実施例の浴槽湯口装置の使用状態説明図である。
【図２−２】図２−１の湯口本体と押え金の組立前の説明図である。
【図２−３】図２−１のＡ−Ａ線断面の湯口本体に湯口継手を使用したときの使用状態説明図である。
【図２−４】図２−１のＡ−Ａ線断面の湯口本体に別の湯口継手を使用したときの使用状態説明図である。
【図３−１】さらに別の本発明実施例の浴槽湯口装置の使用状態説明図である。
【図３−２】図３−１の湯口本体と押え金の組立前の説明図である
【図３−３】図３−１のＢ−Ｂ線断面の湯口本体に湯口継手を使用したときの使用状態の説明図である
【図３−４】図３−１のＢ−Ｂ線断面の湯口本体に別の湯口継手を使用したときの使用状態の説明図である
【図４−１】さらに別の本発明実施例の浴槽湯口装置の使用状態説明図である。
【図４−２】さらに別の本発明実施例の浴槽湯口装置の使用状態説明図である。
【図５−１】さらに別の本発明実施例の湯口本体に継手管を使用したときの使用状態の説明図である
【図５−２】さらに別の本発明実施例の湯口本体に別の継手管を使用したときの使用状態の説明図である
【図６−１】さらに別の本発明実施例の浴槽湯口装置の使用状態説明図である。
【図６−２】さらに別の本発明実施例の浴槽湯口装置の使用状態説明図である。
【図７】別のファスナーの斜視図
【図８】従来例のナット付たけのこ状継手管
【符号の説明】
【００２１】
２０、２０Ｂ、２０Ｃ、２０Ｄ、２０Ｅ、２０Ｆ    湯口本体
２２、２２Ｂ、２２Ｃ、２２Ｄ、２２Ｅ、２２Ｆ、２４Ｃ、２２１Ｆ    給湯口
２３、２３Ｂ、２３Ｃ，２３Ｄ、２３Ｅ、２３Ｆ、２５Ｃ、２３１Ｆ    戻湯口
１２１、１２１Ｂ、１２１Ｃ、１２１Ｄ、１２１Ｅ、１２１Ｆ  フランジ部
１２１０、１２１０Ｂ、１２１０Ｃ、１２１０Ｄ、１２１０Ｅ、１２１０Ｆ  パッキン
２０１、２０１Ｂ、２０１Ｃ、２０１Ｄ、２０１Ｅ、２０１Ｆ  給湯管
２０２、２０２Ｂ、２０２Ｃ、２０２Ｄ、２０２Ｅ、２０２Ｆ  戻湯管
２０１１Ｂ、２０１１Ｅ、２０２１Ｂ、２０２１Ｅ    曲げ管
２０１１Ｃ、２０１１Ｆ、２０２１Ｃ、２０２１Ｆ    立管
２０１２Ｃ、２０１２Ｅ、２０２２Ｃ、２０２２Ｅ    つば
２２１、２２１Ｂ、２２１Ｃ、２４１Ｃ    給湯口おねじ
２３１、２３１Ｂ、２３１Ｃ、２５１Ｃ    戻湯口おねじ
３０                                  押え金
３０１                                締付ねじ
３０１１                              締付ねじのヘッド
３０１２                              締付ねじの螺孔
４０                                  網カバー
５００、５００Ｂ                      湯口継手
５０、５０Ｂ                          内挿管
５０Ｃ、５０Ｄ                        継手管
５０２Ｃ                              継手管のつば
５１、５１Ｂ                          内挿管の先端部
５１Ｃ、５１Ｄ                        継手管の先端部
５１１、５１１Ｂ                      内挿管の後端部
５１１Ｃ                              継手管のシール管
５１２、５１２Ｂ                      リング状突条
５１１１、５１１１Ｂ、５１１１Ｃ      Ｏリング
６０                                  鍔付ナット
６１                                  ナット部
６１１                                鍔部
６１２                                めねじ
７１Ｃ                                ファスナー
７２、７２Ｃ                          盲栓
８０                                  浴槽孔
【図１−１】
2009180385.tif 000003
【図１−２】
2009180385.tif 000004
【図１−３】
2009180385.tif 000005
【図１−４】
2009180385.tif 000006
【図１−５】
2009180385.tif 000007
【図１−６】
2009180385.tif 000008
【図１−７】
2009180385.tif 000009
【図１−８】
2009180385.tif 000010
【図２−１】
2009180385.tif 000011
【図２−２】
2009180385.tif 000012
【図２−３】
2009180385.tif 000013
【図２−４】
2009180385.tif 000014
【図３−１】
2009180385.tif 000015
【図３−２】
2009180385.tif 000016
【図３−３】
2009180385.tif 000017
【図３−４】
2009180385.tif 000018
【図４−１】
2009180385.tif 000019
【図４−２】
2009180385.tif 000020
【図５−１】
2009180385.tif 000021
【図５−２】
2009180385.tif 000022
【図６−１】
2009180385.tif 000023
【図６−２】
2009180385.tif 000024
【図７】
2009180385.tif 000025
【図８】
2009180385.tif 000026